(57)【要約】ＬＣＤモニタにおいて、表示される情報の既定部分（ＰＡ）は、バックライトにより多くの光線を発生させることにより強調表示（ハイライト）にされる。この既定エリア（ＰＡ）の外のエリアは、パネルを駆動するビデオデータを調節することにより輝度が略一定に保たれる。バックライトにより発生する実際の光量が測定され、既定エリア（ＰＡ）の外がより一定の輝度を得る。
2005521904.tif 000002
【特許請求の範囲】
【請求項１】
−入力表示信号を入力し、適合された表示信号を表示する液晶ディスプレイであって、前記適合された表示信号は、強調制御信号に応じて、前記液晶ディスプレイの表示スクリーンの既定エリア内を強調する液晶ディスプレイ、
−光制御信号の制御下において、前記液晶ディスプレイを照光するバックライトランプにより放射される光の特性を変化させるランプ駆動回路、
−データ制御信号の制御下において、前記入力表示信号を適合し、前記既定エリアの外の前記表示スクリーン上に殆ど変化しない表示を得るためのデータ制御器、
−前記光の前記特性を測定し、当該光の測定された特性を得る光センサ、及び
−前記強調制御信号を入力する第１の入力部と、前記光センサに結合される第２の入力部とを有し、前記データ制御信号及び前記光制御信号を共に前記強調制御信号に応じて適合させるためであり、前記光の測定された特性に対応させて前記データ制御信号及び／又は前記光制御信号を決める強調制御器、
を有する表示装置。
【請求項２】
請求項１に記載の表示装置において、前記強調制御器はさらに
−前記強調制御信号が強調は存在しないことを示す期間中は前記光の測定された特性を記憶するメモリ、及び
−前記強調制御信号が前記強調は存在することをと示す時点の後に、前記記憶される測定された特性と、前記光の特性とに基づいて前記データ制御信号の値を計算する計算回路、
を有することを特徴とする表示装置。
【請求項３】
請求項１に記載の表示装置において、前記光の特性は輝度であり、前記ランプ駆動回路は、
−輝度制御信号に依存するデューティサイクルを持つパルス幅制御信号を発生するパルス幅変調器、及び
−電流駆動装置、スイッチング装置及びバックライトランプから成る直列配置であり、前記電流駆動装置は、電流制御信号を入力する入力部と、前記スイッチング装置が閉じている場合、前記バックライトランプに既定の電流を供給する出力部とを有し、前記スイッチング装置は、前記パルス幅制御信号を入力し、当該スイッチング装置のオン及びオフの時間を決める制御入力部を有する直列配置、
を有し、前記強調制御器はさらに、
−前記強調制御信号に基づく前記電流制御信号及び前記輝度制御信号を有する前記光制御信号を生成する制御信号発生器であって、前記輝度が遷移している間、前記輝度制御信号は、前記デューティサイクルを変化させるように適合し、前記遷移が十分な速さで進行していない場合、前記電流制御信号は前記バックライトランプを通る前記電流を一時的に変化させるように適合する制御信号発生器、
を有することを特徴とする表示装置。
【請求項４】
表示装置と、表示信号及び当該表示装置の表示スクリーン上の既定エリア内に前記表示信号の必要とされる強調を示す強調制御信号を生成するコンピュータとを有するシステムにおいて、前記表示装置は、
−入力表示信号を入力し、適合された表示信号を表示する液晶表示装置であり、前記適合された表示信号は、強調制御信号に応じて前記液晶表示装置の前記表示スクリーンの既定エリア内を強調する液晶表示装置、
−光制御信号の制御下において、前記液晶表示装置を照光するバックライトランプにより放射される前記光の特性を変化させるランプ駆動回路、
−データ制御信号の制御下において前記表示信号を適合させ、前記既定エリアの外の前記表示スクリーン上に殆ど変化の無い表示を得るデータ制御器、
−前記光の特性を測定し、前記光の測定された特性を得る光センサ、及び
−強調制御信号を入力する第１の入力部と、前記光センサに結合される第２の入力部とを有し、前記データ制御信号及び前記光制御信号を共に前記強調制御信号に応じて適合させるためであり、前記光の測定された特性に対応させて前記データ制御信号及び／又は前記光制御信号を決める強調制御器、
を有するシステム。
【請求項５】
強調制御信号に応じて、液晶表示装置の表示スクリーンの既定エリアを強調させる方法であって、前記方法は、
−光制御信号の制御下において、前記液晶表示装置を照光するバックライトランプにより放射される光の特性を変化させるステップ、
−データ制御信号の制御下において表示信号を適合させ、前記既定エリアの外の前記表示スクリーン上に殆ど変化の無い表示を得るステップ、
−前記光の特性を測定するステップ、及び
−前記強調制御信号及び前記光の測定された特性を入力し、前記データ制御信号及び前記光制御信号を共に前記強調制御信号に応じて適合させるためであり、前記光の測定された特性に対応させて前記データ制御信号及び／又は前記光制御信号を決めるステップ、
を有する方法。
【発明の詳細な説明】
【技術分野】
【０００１】
本発明は、既定エリアを強調された表示にすることが可能である液晶ディスプレイ（ＬＣＤ）のスクリーンを具備する表示装置に関する。本発明はさらに、コンピュータ及び上記表示装置を有するシステム、並びに強調された既定エリアを表示する方法にも関する。
【背景技術】
【０００２】
市場において、フィーチャライトフレーム（登録商標）がフィリップス社のコンピュータモニタから知られている。これの特徴は、輝度が増大すべき表示装置のスクリーン上のエリアをユーザが選択することができることである。これは、自然の情報(natural information)がこのエリアに表示される場合に特に有利となる。この自然の情報は、例えばテキストのような総合情報よりも低い解像度を通常は有する写真及びフィルムを有する。この低い解像度の情報の知覚品質は、輝度を増大させることにより大幅に改善する。一方、高い解像度の総合情報の輝度は、ぶれ(blurring)を避けるために増大すべきではない。
【０００３】
通常は、前記エリアはＯＳ(Operating System)であるMicrosoft Windows（登録商標）により作成される又はこのＯＳ上で実行するアプリケーションにより作成されるウィンドウ若しくはウィンドウの一部である。強調すべきエリアは、さらに強調エリアとも呼ばれる。
【０００４】
陰極線管において、増大する輝度は、この陰極線管におけるビーム電流を高輝度エリアにおいて局部的に増大させることにより作成される。
【０００５】
液晶ディスプレイにおいて、最大輝度は、バックライトの光出力により決められる。強調エリアの光出力が増大しなければならない場合、バックライトの光出力が増大しなければならず、この強調エリアの外のデータは、この強調エリアの外の輝度を略一定に保つように適合（減光）されなければならない。
【発明の開示】
【発明が解決しようとする課題】
【０００６】
本発明の目的は、バックライトにより発生する光の特性の変化が強調エリアの外のエリアでは僅かしか見ることができないＬＣＤを提供することである。
【０００７】
本発明の第１の態様は、請求項１に記載のＬＣＤを提供する。本発明の第２の態様は、請求項４に記載のシステムを提供する。本発明の第３の態様は、請求項５に記載の方法を提供する。有利な実施例は従属請求項において規定されている。
【０００８】
ＬＣＤモニタにおけるライトフレームの実施時に、スクリーン上の画像の一部だけが強調表示(highlight)されなければならないのに対し、前記スクリーンの残りの部分は、ＬＣＤパネルを駆動するデータを調節することにより減光されなければならない。
【０００９】
本発明は、強調エリアの外のエリアにおけるバックライトにより発生する光の特性の遷移の視認性を減少させることを目的とする。例えば、強調されていない状況から強調された状況への遷移は、前記強調エリアにおける輝度を増大することでもよい。さらに一般的には、バックライトにより発生する光の特性の変化の全ては、前記強調エリアに強調を引き起こしてよい。例えば、赤白い色の点が、強調エリアにおける画像の表示の改善した（暖かな）印象を与える。
【００１０】
輝度が強調エリアにおいて増大すべき場合、バックライトは増大する量の光を生成しなければならない。強調エリアの外の表示は変化するべきではないので、ＬＣＤパネルに供給されるデータは輝度の増大を補償するように適合する。この補償が不十分である場合、ユーザは強調エリアの外に表示される情報の（一時的な）変化を感じ取る。
【００１１】
本発明は、補償の品質がバックライトの特性の実際に変化する量に依存しているという認識に基づいている。強調エリアの外のエリアにおける完璧な補償は、この実際の量がわかっている場合にのみ可能である。これにより、バックライトユニットにより発生する光の特性は、感光素子により測定される。この光の特性の測定される変化は、強調エリアの外のエリアの変化を補償するのに用いられる。
【００１２】
請求項２に記載の本発明の実施例において、光の輝度が増大する場合、ＬＣＤパネルを駆動するデータは、発生する光の量の測定される変化に従って適合（減光）する。この補償は、輝度の変化の正確な量を知らない従来技術に関して改善される。
【００１３】
請求項３に記載の本発明の他の実施例において、光の輝度が変化する速度は、発生する光の実際の量の測定を用いることにより増大する。ランプ駆動装置は、短い時間期間に最終段階へ到達するようにデューティサイクル及び／又はランプ電流を適合するように制御される。
【００１４】
一般的なバックライトランプ駆動装置の構成は米国特許公報US-A-6,078,302に記載さされている。ランプ駆動回路電流は、このバックライトランプに電流を間欠的に供給する。最適な駆動電流は電流源により発生する。電流源は、制御スイッチを介してランプに電流を供給する。パルス幅制御器はスイッチを制御して、駆動電流のパルス幅の制御を行う。スイッチのオンの時間と、このスイッチのオン及びオフの時間の合計との比がデューティサイクルである。通常、このデューティサイクルは、光の輝度を決める。電流は特殊なランプに合う固定の最適値を持つように選択される。デューティサイクル又はパルス幅は、輝度制御入力部を介してユーザにより手動で調節されることができる。
【課題を解決するための手段】
【００１５】
本発明の実施例おいて、実際の光出力が測定される。高い輝度へ遷移している間、光の量が変化する速度が観測される。この変化の速度が非常に遅い場合、デューティサイクルはさらに増大し、またデューティサイクルが最大である場合、電流が一時的に増大する。さらに、光出力が出過ぎる(overshoot)ことなく、円滑なやり方で最終状態に到達することが可能である。適切にプログラムされたマイクロプロセッサは、測定された光出力を入力し、デューティサイクル及び電流を制御するための制御信号を生成する。
【００１６】
このプログラムは学習機能、つまりデューティサイクルが変化する、測定された光出力から効果が決められる機能を有する。前記変化が遅すぎる場合、電流は適合する。再び、測定された光出力から効果が決められ、電流の変化の量が適合してもよい。電流に課される制限を考慮することも可能である。デューティサイクルの必要とされる変化及び光出力の既定の変化に対する電流の最適な設定がメモリに記憶されてよい。最適な設定を予めメモリに記憶しておくことも可能であり、この場合、学習機能は必要無い。
【００１７】
遷移の速度を上げずに、ランプにより生成される光の輝度を増大させるのに数秒かかる。これが幾つかの問題を生じさせる。
【００１８】
第１に、高い輝度が必要とされないエリアの外では、表示信号をゆっくり適合させることにより、ランプの光出力のゆっくりとした増大を補償することが難しい。ランプの反応は、使用するランプの特性及びランプの実際の状態（例えば温度）に依存している。さらに、この補償は、液晶ディスプレイのセルのノンリニア作用(non-linear behavior)のために困難である。
【００１９】
第２に、表示される情報の選択した部分が強調されるのに数秒を要する場合、ユーザは混乱してしまう。通常、ユーザはマウスポインタを選択される部分に移動させ、マウスのボタンを稼動させ、すぐに反応すると思っている。この反応が数秒経った後でも見ることができない場合、ユーザは、自分が何か間違ったことをしたか、又はライトフレーム機能が適切に動作していないと思ってしまう。
【００２０】
実際の光出力を測定し、遷移する速度を上げる場合、輝度を変化させるのに数ミリ秒しかかからない。好ましくは、光出力の増大が必要とされる場合、ランプを通る一時的な追加の電流が発生する、又は光出力の減少が必要とされる場合、少ない電流が一時的にランプに供給される。この追加の又は減じる電流量は、ランプをさらに早く定常状態の輝度値に到達させる。このようにして、ランプは、バックライトにより発生する光の量が素早く変化するように制御され、ユーザは、データの適合によるバックライトの変化した光出力の補償のために、強調エリアの外のエリアにおける遷移に気が付かない。
【００２１】
WO99/23456は、バックライトの光出力が測定され、ランプ駆動装置がこのバックライトの光出力をその寿命にわたり一定に保つように制御される。
【発明を実施するための最良の形態】
【００２２】
本発明のこれら及び他の態様は、以下に記載される実施例から明らかであり、これら実施例を参照して説明される。
【００２３】
図１は本発明によるコンピュータＣＯＭ及び表示装置ＤＡＰのシステムを示す。このコンピュータＣＯＭは、液晶ディスプレイＬＣＤを備える表示装置ＤＡＰに表示される表示信号ＤＳを供給する。このコンピュータＣＯＭはさらに、この液晶ディスプレイＬＣＤのスクリーンＳＣＲ上において既定エリアＰＡの必要とされる強調（例えば増大した輝度）を示す強調制御信号ＥＣＳを生成する。既定エリアＰＡは、例えばＯＳ又はアプリケーションにより生成されるウィンドウＷ１として示される。このウィンドウは示されるようなウィンドウＷ２により一部が覆われてもよい。
【００２４】
表示装置ＤＡＰはさらに、強調制御信号ＥＣＳを入力し、データ制御信号ＤＣＳをデータ制御器ＤＣＯに供給し、光制御信号ＬＣＳをランプ駆動回路ＬＤＣに供給する強調制御器ＥＣを有する。
【００２５】
バックライトユニットＢＬＵは、液晶ディスプレイＬＣＤを照光するバックライトランプＢＬＬを有する。ランプ駆動回路ＬＤＣは、このバックライトランプＢＬＬを駆動し、光制御信号ＬＣＳが生成される光の特性を変化すべきことを示す場合、この特性を変化させる。
【００２６】
データ制御器ＤＣＯは、表示信号ＤＳ及びデータ制御信号ＤＣＳを入力し、強調が必要とされると強調制御信号ＥＣＳが示す場合、既定エリアＰＡの外に殆ど変化しない表示を得るような適合した表示信号ＤＳＡを生成する。この適合した表示信号ＤＳＡは液晶ディスプレイＬＣＤに供給される。このようにして、既定エリアＰＡの外では、表示信号ＤＳを適合させることにより、ランプＢＬＬの輝度の変化が補償される。
【００２７】
表示装置ＤＡＰはさらに、バックライトランプＢＬＬにより発生する光の量を検知する光センサＬＳを有する。強調制御器ＥＣは測定された光出力ＭＰＬを入力し、それに応じて、データ制御信号ＤＣＳ及び光制御信号ＬＣＳを生成する。
【００２８】
バックライトランプＢＬＬにより生成される光の量ＭＰＬの測定は、既定エリアＰＡの外の光出力が一定に保たれるようなデータ信号ＤＳの必要とされる適合を強調制御器ＥＣに正確に計算することを可能にする。このデータ信号ＤＳの必要とされる適合は、データ制御信号ＤＣＳに示され、これは図２に関してより詳細に説明される。
【００２９】
それの代わりに又はそれと一緒に、光出力の測定は、図３に関して説明されるように、バックライトランプＢＬＬの光出力を変化させるのに必要とされる時間を減少させることができる。
【００３０】
図２は本発明による強調制御器ＥＣの実施例を示す。
【００３１】
強調制御器ＥＣは、メモリＭＥＭ及び計算ユニットＣＡＬを有する。このメモリＭＥＭは、記憶された光の特性ＳＭＰＬを得るために、光の特性が遷移する前のこの特性を記憶する。計算ユニットＣＡＬは、この記憶された特性ＳＭＰＬを実際に測定された特性ＭＰＬと比較し、既定エリアＰＡの外のデータが変化せずに表示されるようなデータ制御信号ＤＣＳを計算する。
【００３２】
例えば、前記遷移がバックライトランプＢＬＬの輝度を増大させる場合、遷移前に生成された光の量はメモリＭＥＭに記憶される。計算ユニットＣＡＬは、好ましくはマイクロコンピュータ又はマイクロプロセッサであり、前記記憶された量を遷移後にバックライトランプＢＬＬにより生成された実際に測定される量と比較する。データ制御信号ＤＣＳは、データが減光されなければならない量を示し、既定エリアの外のデータ信号ＤＳの一部と同じ表示を得る。
【００３３】
図３は、本発明による強調制御器ＥＣ及びランプ駆動回路ＬＤＣの実施例を示す。
【００３４】
このランプ駆動回路ＬＤＣは、パルス幅変換器ＰＷＭ、減算器ＳＵ、電流駆動装置ＣＵＤ、制御可能なスイッチング装置ＣＳＷ及びフィードバック素子又は回路ＦＮを有する。
【００３５】
フィードバック回路ＦＮは、ランプＢＬＬと直列に配され、ランプ電流ＩＬを表すフィードバック信号ＦＢＳを供給する。
【００３６】
減算器ＳＵは、電流制御信号ＣＣＳからフィードバック信号ＦＢＳを減算し、エラー信号ＥＳを電流制御器（駆動装置）ＣＵＤに供給する。電流制御信号ＣＳＳがランプＢＬＬに供給される定常状態の電流ＩＬを決めている。定常状態の電流値ＩＬは、ランプＢＬＬの特性に最も合うように選択される。重要な考察は、ランプＢＬＬの寿命、並びに発生する光の輝度及び色彩である。
【００３７】
電流制御器ＣＵＤは、スイッチＣＳＷを介してランプ電流ＩＬを制御可能なランプＢＬＬに供給する。この制御可能なスイッチＣＳＷのオン／オフへの切り換えは、パルス幅変調器ＰＷＭにより制御される。このパルス幅変換器ＰＷＭは、輝度制御信号ＢＣＳに依存するデューティサイクルを持つパルス幅制御信号ＰＷＣを生成する。この輝度制御信号ＢＣＳはユーザによる制御が可能であってもよい（図示せず）。
【００３８】
定常状態において、ランプＢＬＬを通る電流ＩＬは、電流制御信号ＣＳＳにより決められる。この電流ＩＬはランプＢＬＬにより放射される光の輝度及び／又は色温度を決める。これによって、電流ＩＬが所望の値で保たれることがことが重要である。電流は、減算器ＳＵ、電流制御器ＣＵＤ及びフィードバック素子ＦＮを有する閉電流フィードバックループ(closed current feedback
loop)により、電流制御信号ＣＣＳにより示される所望の値に保たれる。通常は、このフィードバック素子ＦＮはレジスタであり、このレジスタを介し、電流ＩＬはフィードバック電圧をフィードバック信号ＦＢＳとして生成する。減算器ＳＵは、ランプＢＬＬを通る実際に測定される電流ＩＬを、電流制御信号ＣＣＳにより示されるような所望の電流と比較し、電流ＩＬを正確に所望のレベルに保つように、既知の方法で電流制御器ＣＵＤを制御する。
【００３９】
ランプＢＬＬの輝度は、制御可能なスイッチＣＳＷのデューティサイクルにより制御される。電流ＩＬは、スイッチＣＳＷが閉じている時間の間だけ、ランプＢＬＬを流れる。この時間が、スイッチＣＳＷを開いている時間に対し短い（デューティサイクルが短い）場合、輝度は低くなる。通常、ユーザが制御可能な輝度制御信号ＢＣＳを生成するユーザが制御可能な輝度の入力は、パルス幅変調器ＰＷＭを介してデューティサイクルを制御する。
【００４０】
結論とすれば、実際のランプの輝度値は、このデューティサイクルを制御することにより得られる。ランプＢＬＬがオン状態である間、電流ＩＬは、異なるランプ形式に対し異なってもよい所望の公称値で閉制御ループにより調節される。
【００４１】
強調制御器ＥＣは、第１の加算器ＡＤ１、第２の加算器ＡＤ２及び制御信号発生器ＣＳＧを有する。
【００４２】
制御信号発生器ＣＳＧは光センサＬＳに接続され、バックライトにより発生する光の測定された特性ＭＰＬを入力する。この測定された特性ＭＰＬに基づいて、制御信号発生器ＣＳＧは、第１の制御信号ＣＳ１及び第２の制御信号ＣＳ２を決定する。
【００４３】
第１の加算器ＡＤ１は、（輝度制御信号ＢＣＳでもよい）強調制御信号ＥＣＳ及び第１の制御信号ＣＳ１を入力し、第２の加算器ＡＤ２は、公称電流制御信号ＮＣＣＳ及び第２の制御信号ＣＳ２を入力する。
【００４４】
ライトフレームのアプリケーションにおいて、バックライトランプの輝度は、ある値から他の値へスイッチされなければならない。前述したように、結果生じる輝度の素早い反応時間が必要とされる。
【００４５】
制御信号発生器ＣＳＧは、光の実際に測定された特性ＭＰＬを光センサＬＳから入力する。例として、高い輝度への遷移が以下に説明されている。しかしながら、本発明は輝度の変化に限定されず、ランプＢＬＬにより生成される光の特性の如何なる変化も同様にして処理されてもよい。
【００４６】
強調制御信号ＥＣＳは、高い輝度が既定エリアＰＡにおいて必要とされる場合を示す。通常、この強調制御信号ＥＣＳはユーザの輝度設定と組み合わせられる。これにより、この強調制御信号ＥＣＳは、ランプＢＬにより生成される光の必要とされる輝度を示す。強調が必要とされない場合、ユーザが規定した輝度が示され、ライトフレームの特性が既定エリアＰＡの輝度の増大が稼動しなければならないことを示す場合、強調制御信号ＥＣＳは高い値へとジャンプする。この高い値とは、ランプにより発生する光の量が固定の予め規定した量を増大させることを示している。この高い値はランプＢＬの光出力の所望の増大する量を示すことも可能である。
【００４７】
より高い輝度へ遷移している間、測定される光出力を光センサから入力する制御信号発生器ＣＳＧは、光の量が変化する速度を観測する。この変化の速度が低すぎる場合、制御信号発生器ＣＳＧは、輝度制御信号ＢＣＳを供給し、さらにデューティサイクルを増大させるために、強調制御信号ＥＣＳに加算される第１の制御信号ＣＳ１を出力する。このデューティサイクルが最大である又は最大値に達する、且つ変化の速度が未だ低すぎる場合、電流ＩＬは一時的に増大する。
【００４８】
これにより、制御信号発生器ＣＳＧは、電流制御信号ＣＣＳを得るために、公称電流制御信号ＮＣＣＳに加算される第２の制御信号ＣＳ２を生成する。この電流制御信号ＣＣＳは、電流制御器ＣＵＤを制御し、ランプＢＬＬを通る電流ＩＬを増大させる。この加算電流は前記遷移の速度を上げるのに必要とされる短い期間だけ流すべきである。この短い期間の後、電流ＩＬは公称電流制御信号ＮＣＣＳにより示されるような最適な選択の公称値に戻るべきである。このやり方で、短い期間内に光出力を新しい状態に達することが可能である。
【００４９】
制御信号発生器がランプＢＬＬの実際の光出力を入力するので、発生する光出力のオーバーシュートが起こることなく、規定の且つ円滑なやり方でランプＢＬＬを制御することが可能である。例えば、適切にプログラムされたマイクロプロセッサは、測定された光出力ＭＰＬを入力し、デューティサイクル及び電流ＩＬを制御するための制御信号ＣＳ１及びＣＳ２を生成する。このプログラムは学習機能、つまり、デューティサイクルが変化する、効果が測定された光出力ＭＰＬから決められる機能を有する。前記変化が遅すぎる場合、電流ＩＬは適合される。再び効果が測定された光出力から決定され、電流ＩＬの変化の量が適合されてよい。最大及び／又は最小電流ＩＬに課される制限を考慮することが可能である。光出力の既定の変化に対するデューティサイクル及び電流ＩＬの必要とされる変化の最適な設定がメモリに記憶されてよい。前記学習機能が実施されない場合、これら最適な設定は事前にメモリに記憶されてよい。
【００５０】
図１において参照される光制御信号ＬＣＳは、輝度制御信号ＢＣＳ及び電流制御信号ＣＣＳを有する。
【００５１】
図４は、本発明によるバックライトユニットの実施例の動作を説明する波形を示す。図４は強調制御信号ＥＣＳ、制御信号ＣＳ２及びランプＢＬＬの輝度ＬＢＲを示す。
【００５２】
時点ｔ１の前は、この状況では輝度制御信号ＢＣＳである強調制御信号ＥＣＳは、（強調が必要とされない）第１の輝度レベルを示す値を有する。この強調制御信号ＥＣＳは零であり、輝度ＬＢＲはレベルＢ１である。
【００５３】
時点ｔ１において、輝度制御信号ＥＣＳは（本実施例においてより高輝度である強調が要求される）第２の輝度レベルを示す値へのジャンプＪを行う。遷移の速度を上げることなく、制御信号ＣＳ２を零のままにして、ＵＢで表される波形により示されるように、輝度ＬＢＲが第２のレベルＢ２に到達する前にかなりの時間を要する。遷移の速度を上げる場合、制御信号ＣＳ２はスパイクのような波形を示す。
【００５４】
制御信号発生器ＣＳＧは、既に最大値である以外は、デューティサイクルの変化が新しい光出力レベルに十分な速さで到達するには不十分であることが記憶されたデータから明らかである場合、強調制御信号ＥＣＳを微分することによりこのスパイクを発生させてもよい。本発明による実施例において、制御信号発生器ＣＳＧは測定された光出力ＭＰＬを使用しない。この測定された光出力ＭＰＬは、データ制御器ＤＣＯにのみ使用され、強調されなければならない既定エリアＰＡの外のデータの必要とされる補償を計算する。
【００５５】
制御信号発生器ＣＳＧが、強調制御信号ＥＣＳの値の突然の変化により引き起こされる(triggered)記憶されたデータに基づいてスパイクを発生させることも可能である。
【００５６】
制御信号発生器ＣＳＧは、強調制御信号ＥＣＳの値の突然の変化に応じて前記スパイクを始めてもよく、測定された光出力ＭＰＬを用いることによる遷移時間の最小化に基づいてスパイクの形状を決めてもよい。さらに、強調制御信号ＥＣＳの値の特定の変化に対応することがわかっている制御信号ＣＳ１及びＣＳ２の最適な制御値を記憶することにより自己適合作用(self-adapting behavior)を追加することも可能である。これらの記憶された制御値は、強調制御信号ＥＣＳの値の同じ変化又は殆ど同じ変化が起こる次回に用いられる。光出力の測定が所望の曲線に従って変化していないと示す場合、制御信号ＣＳ１及びＣＳ２は、所望の曲線に更に合うように適合される。今後の使用のために新しい制御値が再び記憶される。
【００５７】
前記スパイクは、ランプＢＬＬを通る電流ＩＬに対応するスパイクを生じさせ、一部が破線である波形ＢＯにより示されるように、第２の輝度レベルにさらに早く到達する。
【００５８】
時点ｔ２において、同じように、ランプＢＬＬの輝度ＬＢＲは短い時間内に減少している。
【００５９】
結論として、一般的には、強調制御信号ＥＣＳが輝度制御信号ＢＣＳであり、既定エリアＰＡに高い輝度が必要とされる場合、ランプＢＬＬの定常状態の輝度はデューティサイクルを増大させることにより増大する。光出力の早い遷移は、ランプＢＬＬを通る電流ＩＬを一時的にブースト(boost)することにより得られる。
【００６０】
上述された実施例は、本発明を制限するものではなく、説明するものであり、当業者は添付される特許請求の範囲から外れることなく、多くの他の実施例を立案することが可能であると理解されるべきである。例えば、ランプＢＬＬは単独のランプでもよいし、多数のランプを有してもよい。フィードバック素子ＦＮは電流変換器でもよい。幾つかのエリアを強調表示にすることが可能である。これらエリアは矩形形状でなくともよい。特許請求の範囲において、括弧の間にある如何なる参照符号は、この請求項を制限すると解釈はされない。“有する”という用語は、請求項に挙げられた要素又はステップ以外の要素又はステップが存在することを排除することはない。単数による表示は、これら要素が複数あることを排除するものではない。本発明は、別個な要素を幾つか有するハードウェアを用いて、適当にプログラムされたコンピュータを用いて実施されることができる。幾つかの手段を列挙する装置クレームにおいて、これら手段の幾つかがハードウェアの同じ項目により具現化されることができる。ある手段が互いに異なる従属請求項において再び引用される単なる事実は、これらの手段の組み合わせが有利に使用されないことを示していない。
【図面の簡単な説明】
【００６１】
【図１】本発明によるコンピュータ及び表示装置のシステムを示す。
【図２】本発明による強調制御器の実施例を示す。
【図３】本発明による強調制御器及びランプ駆動回路の実施例を示す。
【図４】本発明によるバックライトユニットの実施例の動作を説明する波形を示す。
【図１】
2005521904.tif 000003
【図２】
2005521904.tif 000004
【図３】
2005521904.tif 000005
【図４】
2005521904.tif 000006
【国際調査報告】
2005521904.tif 000007
2005521904.tif 000008
2005521904.tif 000009
2005521904.tif 000010